(57)【要約】【課題】他のキーホルダーやストラップなどが通しやすく、外れにくいキーホルダーを提供する。【解決手段】ハート形３を有するキーホルダーにおいて、キーホルダー１を構成する線材の両端が形成する渦巻き状部分７が、互いに接して、ハート形３の上中央凹部９を形成する。他のキーホルダー１やストラップを、上中央凹部９から押し込むようにして通し、そのまま渦巻き状部分７を通過させ、保持する。このため、押し込むことによって、他のキーホルダーやストラップなどが通しやすい。また、渦巻き状部分を通過した状態で保持されるので、外れにくい。【選択図】図１
2010167041.tif 000002
【特許請求の範囲】
【請求項１】
ハート形を有するキーホルダーにおいて、キーホルダーを構成する線材の両端が形成する渦巻き状部分と、両渦巻き状部分が互いに接して形成するハート形の上中央凹部と、を有することを特徴とするキーホルダー。
【請求項２】
前記線材の中央は、前記ハート形の下中央凸部を形成し、捩られて前記接する強さを調整する調整部となっていることを特徴とする請求項１に記載のキーホルダー。 
【発明の詳細な説明】
【技術分野】
【０００１】
この発明は、金属線などによって構成されるキーホルダーの構造に関する。
【背景技術】
【０００２】
キーホルダーは、キーリング等とも呼ばれ、一般的に金属線などにより構成され、金属線をキーに形成された孔へ通すことで複数のキーを保持する。また、キーのみでなく、他のキーホルダー、金具、さらにはストラップなどへ通して、これらを保持する。
例えば、図３（Ａ）のキーホルダー１０１は、複数の金具１０７を保持し、各金具１０７はキーなどを保持する。このキーホルダーの本体１０３は図３（Ｂ）に示すように、金属線１０５を渦巻き状に巻いたもので、金具１０７やキーは、金属線１０５の端部１０６に通す。
また、図４に示すように、特許文献１のキーホルダー１１１は、線材１１２の両端が半円弧１１３を形成し、両半円弧１１３が互いに接してハート形１１５を形成する。ハート形１１５の上中央凹部１１７から、他のキーホルダーやストラップなどを押し込むようにして通し、これらを保持することができる。
【先行技術文献】
【特許文献】
【０００３】
【特許文献１】特開２００６−３１４４０６
【発明の概要】
【発明が解決しようとする課題】
【０００４】
しかしながら、図３（Ａ）のキーホルダー１０１は、金属線１０５の端部１０６が、渦巻き状の部分にぴったりと接しており（図３（Ｂ））、他のキーホルダーやストラップなどを通しにくい。
特許文献１のキーホルダー１１１は、他のキーホルダーやストラップなどを通し易いものの、両半円弧１１３が互いに接する力が弱いと、他のキーホルダーやストラップなどが外れてしまう可能性がある。
この発明は、以上の問題点を解決するために、他のキーホルダーやストラップなどが、通しやすく、外れにくいキーホルダーを提供することを目的とする。
【課題を解決するための手段】
【０００５】
以上の課題を解決するために、第一発明は、ハート形を有するキーホルダーにおいて、キーホルダーを構成する線材の両端が形成する渦巻き状部分と、両渦巻き状部分が互いに接して形成するハート形の上中央凹部と、を有することを特徴とするキーホルダーである。
また、第二発明は、前記線材の中央は、前記ハート形の下中央凸部を形成し、捩られて前記接する強さを調整する調整部となっていることを特徴とするキーホルダーである。
【発明の効果】
【０００６】
第一、又は第二発明によれば、他のキーホルダーやストラップを、本発明のキーホルダーのハート形の上中央凹部から押し込むようにして通し、そのまま渦巻き状部分を通過させ、保持する。このため、押し込むことによって、他のキーホルダーやストラップなどが通しやすい。また、渦巻き状部分を通過した状態で保持されるので、外れにくい。
【０００７】
第二発明によれば、さらに、本発明のキーホルダーの製造時に調整部の捩る力や回数を調整することで、ハート形の上中央凹部の接する強さを調整でき、他のキーホルダーやストラップなどが上中央凹部から外れにくい。
【図面の簡単な説明】
【０００８】
【図１】（Ａ）は、この発明の一実施形態を示すキーホルダーの使用状態を示す全体斜視図、（Ｂ）は、（Ａ）のキーホルダー本体の拡大正面図である。
【図２】（Ａ）（Ｂ）は、図１（Ｂ）の要部の変形例である。
【図３】（Ａ）は、従来のキーホルダーの使用状態を示す全体図、（Ｂ）は、（Ａ）のキーホルダー本体の拡大正面図である。
【図４】従来のハート形のキーホルダーを示す全体図である。
【発明を実施するための形態】
【０００９】
この発明の実施形態を、図１に示す。
図１のキーホルダー１は、上部にハート形３を有する。すなわち、キーホルダー１を構成する線材である金属線５が、両端で、渦巻き状部分７を形成する。両渦巻き状部分７は、金属線５の同じ側、すなわち図中では上側に巻かれる。そして、巻いた後に、渦巻きの中心へ向かう巻方向が右であれば右へ移動され、左であれば左へ移動され、これにより互いに接してハート形３の上中央凹部９を形成する。渦巻き状部分７は、金属線５の端部へいくほど、渦巻きの半径が小さくなる。そして端部の先は、斜めにカットされ、カットされた先端１１が渦巻き状部分７の内側にぴったりと接している。
【００１０】
金属線５の中央は、ハート形３の下中央凸部１５を形成し、３回捩られる。この捩りによって、両渦巻き状部分７が接する強さを調整する調整部１７となっている。この捩られた調整部１７の先端はリング１８になっており、他のストラップ金具１９が設けられている。
【００１１】
「実施形態の効果」
使用に際しては、他のキーホルダーのリング部分やストラップの紐部分を、図１（Ｂ）に示すように、本実施形態のキーホルダー１のハート形３の上中央凹部９から押し込む（図中Ａ方向）ようにして通す（図中Ｂ方向）。そして、そのまま渦巻き状部分７へ入り込ませ（図中Ｃ方向）、通過させ（図中Ｄ方向）、渦巻き状部分７の中に保持する。
【００１２】
このため、押し込むことによって、他のキーホルダー２１やストラップ２３などが通しやすい。また、渦巻き状部分７を通過した状態で保持されるので、外れにくい。
さらに、本実施形態のキーホルダー１の製造時に調整部１７の捩る力や回数を調整することで、ハート形３の上中央凹部９の接する強さを調整でき、他のキーホルダー２１やストラップ２３などが上中央凹部９から外れにくい。
【００１３】
「他の実施形態」
以上の実施形態では、渦巻き状部分７は、金属線５の端部へいくほど、渦巻きの半径が小さくなるものであったが、他の実施形態では、図２に示すように、渦巻きの半径は同じであっても良い。さらに、両渦巻き状部分７において金属線５の端部２５は、図２（Ａ）に示すように、表裏の同じ側に位置しても良いし、図２（Ｂ）に示すように、異なる側に位置しても良い。
【００１４】
また、以上の実施形態では、線材は金属線５であったが、他の実施形態では、他の材料からなる線材、例えば太いアクリル線でも良い。
また、以上の実施形態では、キーホルダー１の一部分のみがハート形３であったが、他の実施形態では、捩った調整部１７のない全体がハート形であっても良い。
また、全体が完全なハート形でなくとも、ハート形の上中央凹部を有する部分的なハート形でも良い。この場合には他の部分は四角や半円でも構わない。
【符号の説明】
【００１５】
１…キーホルダー、３…ハート形、５…金属線、７…渦巻き状部分、９…上中央凹部、１１…先端、１３…渦巻き状部分の内側、１５…下中央凸部、１７…調整部、１０１…キーホルダー、１０３…キーホルダーの本体、１０５…金属線、１０７…金具、１０９…キー、１１１…特許文献１のキーホルダー、１１３…半円弧、１１５…ハート形、１１７…上中央凹部。
【図４】
2010167041.tif 000003
【図１】
2010167041.tif 000004
【図２】
2010167041.tif 000005
【図３】
2010167041.tif 000006